(57)【特許請求の範囲】
【請求項１】
透明な中空多角筒体よりなる水槽（１０）と、この水槽（１０）の開放上面に一体に形成される中空円筒状のプランター収容部（２０）とを備え、前記水槽（１０）と前記プランター収容部（２０）の境界に形成される段差（１１）の上面はプランターの支持面（１２）となっており、前記プランター収容部（２０）の内側に、平面視優弧状に形成されるプランター（４０）を、前記プランター収容部（２０）の前記支持面（１２）に、中心周りに移動できるように載せ、前記プランター（４０）の中央部およびその一側には、水槽（１０）内を外部に連通する中央空間部（４３）および側方空間部（４４）が形成されることを特徴とする、プランター付水槽装置。
【請求項２】
透明な中空多角筒体よりなる水槽（１０）と、この水槽（１０）の開放上面に一体に形成される中空円筒状のプランター収容部（２０）とを備え、前記水槽（１０）と前記プランター収容部（２０）の境界に形成される段差（１１）の上面はプランターの支持面（１２）となっており、前記プランター収容部（２０）の内側に、平面視劣弧状に形成される複数プランター（４０１；４０３）を、前記プランター収容部（２０）の前記支持面（１２）に、中心周りに移動できるように載せ、前記プランター（４０１；４０３）の中央部には、水槽内（１０）を外部に連通する中央空間部（４３）が形成されることを特徴とする、プランター付水槽装置。
【請求項３】
前記プランター（４０；４０１）の中央部に形成される中央空間部（４３）は、蓋体（５０）により閉じられることを特徴とする、前記請求項１または２記載のプランター付水槽装置。
【請求項４】
前記プランター（４０）の一側に形成される側方空間部（４４）内には、他の劣弧状プランター（４０２）が設けられることを特徴とする、前記請求項１記載のプランター付水槽装置。
【請求項５】
プランター（４０）の一側に形成される側方空間部（４４）は、覆い板（５２）により閉じられることを特徴とする、前記請求項１記載のプランター付水槽装置。
【請求項６】
前記プランター（４０；４０１；４０２；４０３）の上方には、照明具（６１）が設けられることを特徴とする、前記請求項１、２、３、４または５記載のプランター付水槽装置。
【発明の詳細な説明】
【技術分野】
【０００１】
本発明は、熱帯魚、金魚などの観賞魚や水草を育成するための水槽に、陸上植物を育成するためのプランターを併設したプランター付水槽装置に関する。
【背景技術】
【０００２】
従来、共通の容器に水槽とプランターとを纏めて設備した、プランター付水槽装置は公知である（後記特許文献１参照）。
【先行技術文献】
【特許文献】
【０００３】
【特許文献１】特許第３８０２６３２号公報
【発明の概要】
【発明が解決しようとする課題】
【０００４】
ところで、プランター付水槽装置では、水槽にあっては、そこに収容される観賞魚や水草などが、また、プランターにあっては、そこに植え込まれる観葉植物、ハーブなどの陸上植物が共に常に最良の状態に保たれて、外観上の景観を良好にすると共にその景観に変化を与えて商品価値を高めることが求められる。そのためには、水槽内の観賞魚、プランターに植込まれる陸上植物を自然の状態で外部から見え易くし、水槽およびプランターのメンテナンスをし易くすることなどが要求されるが、前記特許文献１のものでは、かかる要求を満たすような技術的手段がなされていない。
【０００５】
本発明は、斯かる要求を満足させるようにした、新規なプランター付水槽装置を提供することを目的としている。
【課題を解決するための手段】
【０００６】
上記目的を達成するため、請求項１の発明は、透明な中空多角筒体よりなる水槽と、この水槽の開放上面に一体に形成される中空円筒状のプランター収容部とを備え、前記水槽と前記プランター収容部の境界に形成される段差の上面はプランターの支持面となっており、前記プランター収容部の内側に、平面視優弧状に形成されるプランターを、前記プランター収容部の前記支持面に、中心周りに移動できるように載せ、前記プランターの中央部およびその一側には、水槽内を外部に連通する中央空間部および側方空間部が形成されることを特徴としている。
【０００７】
上記目的を達成するため、請求項２の発明は、透明な中空多角筒体よりなる水槽と、この水槽の開放上面に一体に形成される中空円筒状のプランター収容部とを備え、前記水槽と前記プランター収容部の境界に形成される段差の上面はプランターの支持面となっており、前記プランター収容部の内側に、平面視劣弧状に形成される複数プランターを、前記プランター収容部の前記支持面に、中心周りに移動できるように載せ、前記プランターの中央部には、水槽内を外部に連通する中央空間部が形成されることを特徴としている。
【０００８】
上記目的を達成するため、請求項３の発明は、前記請求項１また２記載のものにおいて、前記プランターの中央部に形成される中央空間部は、蓋体により閉じられることを特徴としている。
【０００９】
上記目的を達成するため、請求項４の発明は、前記請求項１記載のものにおいて、前記プランターの一側に形成される側方空間部内には、他の劣弧状プランターが設けられることを特徴としている。
【００１０】
上記目的を達成するため、請求項５の発明は、前記請求項１記載のものにおいて、プランターの一側に形成される側方空間部は、覆い板により閉じられることを特徴としている。
【００１１】
上記目的を達成するため、請求項６の発明は、前記請求項１、２、３、４または５記載のものにおいて、前記プランターの上方には、照明具が設けられることを特徴としている。
【発明の効果】
【００１２】
請求項１の発明によれば、多角筒体よりなる水槽の開放上面に一体に形成されるプランター収容部内に、平面視優弧状に形成されるプランターを、前記プランター収容部の中心周りに移動できるように設けたので、水槽に対してプランターの位置を変更して景観の異なる水槽装置を楽しむことができる。また、水槽１０が八角筒体により形成されることにより、水槽の平らな壁面を通して水槽１０内の観賞魚を歪ませることなく、透視することができる。さらに、プランターの中央部およびその一側には、水槽内を外部に連通する中央空間部および側方空間部が形成されるので、水槽の上部にプランターを設けても、前記中央空間部を通して外部の照明を水槽内に及ぼすことができ、さらに、前記側方空間部を通して水槽内のメンテナンスを容易に行なうことができる。
【００１３】
請求項２の発明によれば、中空多角筒体よりなる水槽の開放上面に一体に形成されるプランター収容部内に、平面視劣弧状に形成される複数プランターを、前記プランター収容部の中心周りに移動でき、また水槽に対してプランターの位置を変更し、さらに複数の劣弧状プランターを選択的に交換して、プランターに植え込まれる陸上植物を変更させて、景観の異なる水槽装置を楽しむことができる。また、プランターの中央部には、水槽内を外部に連通する中央空間部が形成されるので、水槽の上部にプランターを設けても、前記中央空間部を通して外部の照明を水槽内に及ぼすことができる。
【００１４】
請求項３の発明によれば、プランターの中央部に形成される中央空間部は、蓋体により閉じられるので、水槽内の水が外部に飛散しないようにすることができる。
【００１５】
請求項４の発明によれば、プランターの一側に形成される側方空間部内には、他の劣弧状プランターが設けられるので、プランター収容部の全域に亘ってプランターを設けることができ、陸上植物の絶対量を増やすことができる。
【００１６】
請求項５の発明によれば、プランターの一側に形成される側方空間部は、覆い板により閉じられるので、水槽内の水が外部に飛散しないようにすることができる。
【００１７】
請求項６の発明によれば、プランターの上方には、照明具が設けられるので、プランターおよび水槽を直接照射して、プランターと水槽を、それらの内部まで隈なく外部から観察することができる。
【図面の簡単な説明】
【００１８】
【図１】プランター付き水槽装置の全体斜視図（第１の実施の形態）
【図２】図１の２−２線に沿う断面図（第１の実施の形態）
【図３】図１の３−３線の沿う断面図（第１の実施の形態）
【図４】プランター付き水槽装置の分解斜視図（第１の実施の形態）
【図５】プランター付き水槽装置の使用態様を示す、一部縦断側面図（第１の実施の形態）
【図６】図５の６−６線に沿う断面図（第１の実施の形態）
【図７】プランターに観葉植物を植込む過程を示す図（第１の実施の形態）
【図８】プランター付き水槽装置の全体斜視図（第２の実施の形態）
【図９】図８の９−９線に沿う断面図（第２の実施の形態）
【図１０】図９の１０−１０線に沿う拡大断面図（第２の実施の形態）
【図１１】プランター付き水槽装置の全体斜視図（第３の実施の形態）
【図１２】図１１の１２−１２線に沿う断面図（第３の実施の形態）
【図１３】プランター付き水槽装置の全体斜視図（第４の実施の形態）
【図１４】図１３の１４−１４線に沿う断面図（第４の実施の形態）
【発明を実施するための形態】
【００１９】
本発明の実施の形態を、以下に具体的に説明する。
【００２０】
図１〜７は、本発明の第１の実施の形態を示す。
【００２１】
図１〜４において、本発明プランター付水槽装置は、アクリル等の硬質の合成樹脂材により一体に形成される水槽１０と、プランター収容部２０とを備える。
【００２２】
水槽１０は、透明な上面開放の八角筒体により形成されており、その底部は、底受け部材３０に着脱可能に嵌合されて、その支持脚１３が、底受け部材３０に支持される。八角筒状の水槽１０の開放上面には、円筒状のプランター収容部２０が一体に連接されており、水槽１０とプランター収容部２０との境界には段差１１が形成され、この段差１１の上面に、プランター４０の支持面１２が形成されている。
【００２３】
円筒状のプランター収容部２０内には、平面視優弧状（中心角約２７０°）に形成されるプランター４０が、プランター収容部２０の中心軸線Ｌ−Ｌ周りに自由に旋回、移動できるように収容されて、このプランター４０の外周面４１の下部が、前記支持面１２に摺動可能に支持される。プランター４０の底壁には、多数の小孔よりなる通水孔４２が穿設されており、これらの通水孔４２を通して水槽１０内に収容された水Ｗ（図５参照）がプランター４０内に流通するようにされている。
【００２４】
優弧状のプランター４０の内方には、中央空間部４３が形成されると共に、プランターの端壁間には、その中央空間部４３に連通する側方空間部４４（中心角約９０°）が形成されている。そして、後に述べるように、プランター収容部２０内にプランター４０を収容したまま、この側方空間部４４を通して水槽１０内部のメンテナンスができるようにされる。
【００２５】
プランター４０の中央部に形成される中央空間部４３の上面は、透明な円盤状の蓋体５０により開閉可能に閉じられる。また、図３に示すように、蓋板５０の外周部の下面には案内片５１が一体に設けられ、この案内片５１は、プランター４０の内周面に係合して、蓋板５０の位置決めがなされる。蓋体５０の一側には扇形状の覆い板５２が設けられ、この覆い板５２に形成した係合溝５３内に前記案内片５１が係合して、蓋板５０に覆い板５２が一体に連結されている。蓋板５０の中央部には操作孔５４が開口されており、この操作孔５４に指先を差し込むことで、蓋板５０の操作をする。
【００２６】
水槽１０およびプランター収容部２０の外側面には、パイプよりなる支柱６０が固定されている。この支柱６０は、その下端が底受け部材３０の受部３１に支持されて、プランター収容部２０の上面よりも高く上方に延長されていて、その上端に照明具６１が片持状に支持されている。この照明具６１は、プランター収容部２０の上方を覆うようにされており、笠体６２と、その内部に収容される照明灯６３としての蛍光灯を備える。そして、蛍光灯６３の点灯によれば、プランター収容部２０および水槽１０をその上方から直接照射できるようにされている。
【００２７】
前記支柱６０内には、前記照明具６１に接続される電線６４、制御機器６５、エアポンプ６７などが収容される（図５参照）。
【００２８】
つぎに、図５〜７を参照して、プランター付き水槽装置の一使用態様について説明する。
【００２９】
図５に示すように、前記プランター内には、観葉植物、ハーブなどの陸上植物７０が植込まれる。図７（ａ）、（ｂ）に示すように、陸上植物７０は、その根茎部を、用土を含浸させたスポンジ体７１により巻き込んだ後、そのスポンジ体７１を、図７（ｃ）（ｄ）に示すように、プランター４０内に植込むようにする。陸上植物７０を巻き込んだ複数のスポンジ体７１は、図５、６に示すように、プランター４０内に並んで植え込まれる。陸上植物７０を植え込んだプランター４０を、プランター収容部２０内に収容する。このとき、図６、矢印に示すように、優弧状のプランター４０は、プランター収容部２０に対して、その中心軸線Ｌ−Ｌまわりに、旋回、移動できるので、水槽１０に対して陸上植物７０の位置を変えることでき、水槽装置の形態を適宜に変更して外観上の趣を変えることができ、その商品価値が高められる。そして、優弧状のプランター４０は、水槽１０に対してどの位置にある場合でも、その側方空間部４４を通して、水槽１０内のメンテナンスを行なうことができる。
【００３０】
図５に示すように、水槽１０内に収容される水Ｗの水面Ｗｌは、プランター収容部２０の中間位置まで達するようにする。これにより、水Ｗはプランター４０の底壁の複数の通水孔４２からプランター４０内に流入させることができる。
【００３１】
また、必要に応じて水槽１０には、砂利７３を敷き詰めたり、濾過器７４やヒーター７５を収容したりする。
【００３２】
プランター４０の中央空間部４３およびその側方空間部４４は、蓋体５０および覆い板５２により閉じられる。これにより、水槽１０内の水Ｗが外部に飛散するのを防止することができる。
【００３３】
照明灯６３を点灯すれば、その照明を、プランター４０の中央部の透明な蓋体５０を通して水槽１０内の奥まで及ぼすことができ、容器Ｖの上部にプランター４０を設けたにも拘らず、水槽１０内を明るく照らすことができる。
【００３４】
また、水槽１０が八角筒体により形成されることにより、水槽１０の平らな壁面を通して水槽１０内の観賞魚を歪ませることなく、透視することができる。
【００３５】
つぎに、図８〜１０を参照して、本発明の第２の実施形態について説明する。
【００３６】
この第２の実施形態は、プランターの構造が、第１の実施形態と相違しており、前記第１の実施形態と同じものには同じ符合が付される。
【００３７】
この第２の実施形態では、平面視劣弧状の３個のプランター４０１・・（合計中心角約２７０°）を備えており、これらのプランター４０１・・は、それぞれプランター収容部２０内に移動可能に収容される。図１０に示すように、各プランター４０１には、その外周部の上縁に、一対のフック４７，４７が一体に形成され、これらのフック４７，４７をプランター収容部２０の外周部の上縁に係合、保持する。これにより、各プランター４０１の落下を防止するようにしている。
【００３８】
しかして、この第２の実施形態によれば、３個のプランター４０１・・を個々に交換することができ、陸上植物の交換を容易に行なうことができる。
【００３９】
つぎに、図１１、１２を参照して、本発明の第３の実施形態について説明する。
【００４０】
この第３の実施形態は、プランターの側部空間部に他のプランターを設けると共に蓋体を省略した点で、第１の実施形態と相違しており、前記第１の実施形態と同じものには同じ符合が付される。
【００４１】
この第３の実施形態では、優弧状のプランター４０の側方空間部４４に、他の劣弧状のプランター４０２が収容される。他のプランター４０２の外周部の上縁に、一対のフック４７，４７が一体に形成され、これらのフック４７，４７をプランター収容部２０の外周部の上縁に係合、保持する。また、プランター４０の中央空間部４３は、蓋体を省略して閉じないようにする。
【００４２】
しかして、この第３の実施形態によれば、優弧状のプランター４０および劣弧状の他のプランター４０２の何れにも陸上植物７０を植込むことで、陸上植物７０の絶対量を増やすことができ、また、プランター４０の中央空間部４３を閉じなくても、水槽１０内の水Ｗの外部への飛散を抑えることができる。
【００４３】
つぎに、図１３、１４を参照して、本発明の第４の実施形態について説明する。
【００４４】
この第４の実施形態は、プランター収容部２０内に収容されるプランターが、第１の実施形態と相違しており、前記第１の実施形態と同じものには同じ符合が付される。
【００４５】
この第４の実施形態では、円筒状のプランター収容部２０内の全域に、４個の劣弧状プランター４０３・・・が収容される。各プランター４０３・・・外周部の上縁に、一対のフック４７，４７が一体に形成され、これらのフック４７，４７をプランター収容部２０の外周部の上縁に係合、保持する。また、プランター４０の中央空間部４３は、蓋体を省略して閉じないようにする。
【００４６】
しかして、この第４の実施形態によれば、４個のプランター４０３・・・の何れにも陸上植物を植込むことで、陸上植物の絶対量を増やすことができ、また、プランター４０の中央空間部４３を閉じなくても、水槽１０内の水Ｗの外部への飛散を抑えることができる。
【００４７】
以上、本発明の実施の形態について説明したが、本発明はその実施の形態に限定されることなく、本発明の範囲内で種々の実施の形態が可能である。たとえば、前記実施の形態では、水槽は八角筒体に形成されるが、これを他の多角筒体に形成してもよい。また、前記第２、第４実施の形態では、プランター収容部内には、４個の劣弧状プランターが収容されるが、そこには３個あるいは４個以上の劣弧状プランターを収容してもよい。
【符号の説明】
【００４８】
１０・・・・水槽
１１・・・・段差
１２・・・・支持面
２０・・・・プランター収容部
４０・・・・プランター（優弧状プランター）
４３・・・・中央空間部
４４・・・・側方空間部
５０・・・・蓋体
５２・・・・覆い板
６２・・・・照明具
４０１・・・プランター（劣弧状プランター）
４０２・・・プランター（他のプランター）
４０３・・・プランター（劣弧状プランター）
【図１】
0005916085.tif 000002
【図２】
0005916085.tif 000003
【図３】
0005916085.tif 000004
【図４】
0005916085.tif 000005
【図５】
0005916085.tif 000006
【図６】
0005916085.tif 000007
【図７】
0005916085.tif 000008
【図８】
0005916085.tif 000009
【図９】
0005916085.tif 000010
【図１０】
0005916085.tif 000011
【図１１】
0005916085.tif 000012
【図１２】
0005916085.tif 000013
【図１３】
0005916085.tif 000014
【図１４】
0005916085.tif 000015